(57)【要約】      （修正有）【課題】茸類栽培を品質的にもコスト的にも労力的にも効率よく行うための、菌床、種菌培養熟成方法および茸栽培方法を提供する。【解決手段】樹木の粉砕片に添加物や水を配合したものを詰め込むと直径７〜１２ｃｍ、長さ２５〜６０ｃｍのほぼ円筒形になる袋２に密封し、全体を外から加熱殺菌した後、包んでいる袋２の円筒表面縦方向に、ほぼ等間隔に３〜５ヶの直径２〜３ｃｍの穴５を開け、その穴の中に茸類の種菌６を植菌した菌床４とする。また、菌床４の乾燥防止も細長いノズルを軸心に深く挿し込み広い範囲に放射状に給水が可能で菌床の広い円筒面積から茸の発生が可能となる。【選択図】図２
2012254066.tif 000002
【特許請求の範囲】
【請求項１】
樹木の粉砕片に添加物や水を配合したものを詰め込むと直径７〜１２ｃｍ、長さ２５〜６０ｃｍのほぼ円筒形になる袋全体を外から加熱殺菌した後、包んでいる袋の円筒表面縦方向に、ほぼ等間隔に複数個の直径２〜３ｃｍの穴を開け、その穴の中に茸類の種菌を植菌した菌床。
【請求項２】
請求項１の菌床を植菌された穴を上方に向け、穴の数だけ水平に平行に並べた後、その並べられた菌床の上に２段目の菌床を１段目の方向と約９０度角度を変えて１段目と同様に穴を上方に向け、一段目の菌床の穴の上に乗るように穴の数だけ平行に並べる。３段目以降も同様にすぐ下の段と約９０度角度をつけ、穴の上に多段に積まれた状態で運搬、培養熟成を行う茸類培養熟成法。
【請求項３】
請求項１の菌床を培養熟成室で１つの棚が平行な２〜３本の横木、または棒で作られた多段の棚に菌床が棚の横木、または棒とほぼ９０度の角度で横木、または棒の上に乗るように平行に並べて培養熟成させる茸類培養熟成法。
【請求項４】
請求項１の菌床袋に入った菌床を請求項２または請求項３の培養熟成方法で熟成させた後、菌床を包んでいる袋を菌床から取り外した後、乾燥防止のため円筒形菌床のほぼ円筒軸心の片方から細管の中心軸から放射方向細管面に複数の小穴を開けたノズルを円筒形菌床軸心に沿って挿し込み、ノズル経由菌床に放射状に注水し円筒形菌床周りに茸類を発生させる茸類栽培方法。
【発明の詳細な説明】
【技術分野】
【０００１】この発明は茸類栽培の菌床と茸類の種菌培養熟成方法、および茸栽培方法に関するものである。
【背景技術】
【０００２】近年、茸の栽培は原木栽培に変わり菌床栽培が普及してきた。
菌床栽培の方法としてはガラス瓶やプラスチック製のケース等各種容器の中で菌床を栽培棚の上で培養熟成させ、そのまま茸類を発生させるものや容器から菌床を取り出し茸類を発生させるものもあった。
又、菌床の乾燥を防ぐため菌床への給水方法としては菌床表面に散水する方法、貯水槽に菌床を浸す方法、あるいは特許出願文献１特願平７−２９９１３１に見られるように個々の菌床の横方向から注射器のようなもので注水する方法もあった。
【発明の開示】
【発明が解決しようとする課題】
【０００３】菌床栽培を品質的にもコスト的にも労力的にも効率よく行うためには、菌床の容器は何を使い、種菌が培養熟成、茸類を発生させるには菌床の形をどのようにするか、茸類を発生させるときに容器から出すべきかそのまま発生させるか、菌床に雑菌を入れないようにしながら種菌を植菌し培養熟成させ、乾燥を防ぐための給水を行い、茸類の発生を効率よく行えるには、まず菌床の形と菌の培養熟成方法がどうあるべきかが最大の課題であった。【０００４】植菌された後、逐次培養熟成されてゆくがその周りがあまり広すぎると場所により培養熟成の時間差でき、早期大量生産収穫が期待できない。
かといって菌床の大きさが小さいと菌床の移動、乾燥防止のための給水等の作業が細かくなり手数がかかるため菌床の大きさも生産効率の大事なポイントになる。
菌床の容器としてガラスやプラスチック製固形容器は生産毎に毎回使用後破棄してしまうとコストがかかり、使用を繰り返すと回転させるための作業および管理の負荷もかかる。
菌床容器が低コストで労力も余りかからない方法が要望されていた。
【課題を解決する為の手段】
【０００５】請求項１記載のように、樹木の粉砕片に添加物や水を配合したものを詰め込むと直径７〜１２ｃｍ、長さ２５〜６０ｃｍのほぼ円筒形になる袋に入れ、全体を外から加熱殺菌した後、包んでいる袋の円筒表面縦方向に、ほぼ等間隔に複数個の直径２〜３ｃｍの穴を開け、その穴の中に茸類の種菌を植菌した菌床とすれば菌床開口部は種菌で塞がれ、菌床に雑菌が入らず菌床内で種菌のみ培養熟成され、又軸方向に長い円筒形の長手方向に複数の種菌がほぼ等間隔で植菌されることになる為、菌床全体が短期間でほぼ均一に熟成されることとなる。
よって種菌が植菌された周りをあまり広くすることによる培養熟成の時間差を少なくできるし、菌床の固まり一つとしては円筒形軸方向に長くできるため大きさは種菌を１箇所に植菌した大きさの菌床の３〜５倍の大きさに大きくできる。よって、菌床作りの手間も効率よく、移動運搬の労力も少なくできる。
ガラスやプラスチックの固形容器は必要なく簡易な袋で菌床を包み、熟成後は破棄できるためコスト的にも作業管理的にも簡便である。
【０００６】また請求項２記載のように本発明の菌床を植菌された穴を上方に向け、穴の数だけ水平に平行に並べた後、その並べられた菌床の上に２段目の菌床を１段目の方向と約９０度角度を変えて１段目と同様に穴を上方に向け、一段目の菌床の穴の上に乗るように穴の数だけ平行に並べる。３段目以降を積み上げるに当たっても同様にすぐ下の段の菌床と約９０度角度をつけ、穴の上に多段に積まれた状態で運搬、培養熟成を行えば、植菌するために縦方向に並んであけられた複数の穴が上の菌床の袋の円筒面で適度にふさがれ雑菌が入らぬように塞がれ、それでいて培養熟成に必要な空気中の酸素は穴の適度な隙間、および種菌経由、菌床の中に入っていくようにすることができる。この複数井桁状に積まれた最上段の菌床の穴は板を置くか、最上段の菌床の穴が下を向くように積め適度に塞がれる事となる。
【０００７】請求項３記載のように菌床袋に入った菌床を培養熟成室で１つの棚が平行な２〜３本の横木、または棒で作られた多段の棚に円筒形の菌床が棚の横木、または棒とほぼ９０度の角度で横木、または棒の上に乗るように平行に並べて培養熟成させれば培養熟成後、袋を取り外し、菌床表面に茸を発生し易く、収穫し易くすることができる。
【０００８】菌床の乾燥を防ぐため、本発明請求項４記載のように、請求項１の菌床袋に入った菌床を請求項２または請求項３の培養熟成方法で熟成させた後、菌床表面に茸類を発生させるため、菌床を包んでいる袋を菌床から取り外すが菌床表面全体が空気中にさらされると逐次、水分が失われるため、円筒形菌床のほぼ軸心の片方から、細管の中心軸から放射方向細管面に複数の小穴を開けたノズルを円筒形菌床軸心に沿って挿し込み、ノズル経由菌床内で放射状に注水すれば円筒形軸心に沿った長手方向全体に水を均一に浸み込ませることができ乾燥を防ぐことができる。
【発明を実施するための最良の形態】
【実施例】
【０００９】本発明に係わる茸類菌床と培養熟成方法、および栽培方法の実施形体の一例として添付図面に基づき説明する。
本発明の請求項１の実施例として図１および図２を用いて説明する。
図１は菌床となる前の素材の外観を示し、図２は袋２に穴５を４ヶあけ、種菌６が植菌されて菌床４となった状態の外観の図を示す。
図２の樹木の粉砕片と添加物と水の配合素材１が袋２に詰められて直径約１０ｃｍ、長さ約５０ｃｍのほぼ円筒の形になり、袋２の開口端は菌床４を詰め込んだ後、紐３で縛られ袋２は密封される。
この状態で加熱殺菌室に入れられ外側から加熱することにより樹木の粉砕片と添加物と水の配合素材１は殺菌される。
加熱殺菌室から出された後、図２に示すように袋の円筒表面縦方向にほぼ等間隔に４ヶの直径約２ｃｍの穴５を開け、その穴の中に茸類の種菌を植菌すれば先に説明した図１の樹木の粉砕片と添加物と水の配合素材１であった物は図２の菌床４となる。
開口穴５は種菌で塞がれ、菌床に雑菌が入らず菌床内で種菌のみ培養熟成させ、又、軸方向に長い円筒形の長手方向に複数の種菌を植菌することにより菌床４全体が短時間でほぼ均一に熟成されることとなる。【００１０】本発明請求項２の実施例として図２、および図３を用いて説明する。
本発明請求項１の菌床４を図２に示すように植菌された穴５を上方に向け、穴５の数と同じ数の菌床４を４ヶ水平に平行に並べた後、その並べられた菌床４の上に２段目の菌床４を１段目の方向と約９０度角度を変えて１段目と同様に穴５を上方に向け、下の菌床の穴５の上に乗るように穴５の数４ヶ平行に並べる。３段目以降を積み上げるに当たっても同様にすぐ下の段の菌床４と約９０度角度をつけ、穴５の上に多段に菌床台木７の上に積まれた図３で示す状態で運搬、培養熟成を行えば植菌するために縦方向に並んであけられた複数の穴が上の菌床の袋の円筒面と種菌６で適度にふさがれる為、雑菌が入り難くなっており、それでいて培養熟成に必要な空気中の酸素は種菌６および穴５経由、菌床の中に適度に入っていくようにすることができる。
各段穴の数だけ複数井桁状に積まれた最上段の菌床の穴を塞ぐために図３に示すように最上段の菌床４のみは穴５が下を向くように積めばすべての穴５は塞がれた形となる。【００１１】本発明請求項３の実施例として図２、および図４を用いて説明する。
図２の本発明請求項１の菌床４を袋２に入ったまま培養熟成室で図４に示す１つの段が平行な２本の横木８で作られた２段の棚に円筒形の菌床４が横木８とほぼ９０度の角度で横木８の上に乗るように平行に並べて培養熟成させれば培養熟成後、袋２を取り外し菌床表面に茸を発生し易く、収穫し易くすることができる。
横木８は棚柱組立９に固定され２段の棚を構成している。【００１２】本発明請求項４の実施例として図５を用いて説明する。
培養熟成後、袋が取り外された本発明請求項１の菌床４の乾燥を防ぐため、円筒形菌床４のほぼ円筒軸心の片方から、細管の中心軸放射方向細管面に小径穴１１を複数個開けたノズル１０を円筒形菌床４軸心に沿って挿し込み、菌床４内でノズル１０経由放射状に注水すれば円筒形軸心に沿った長手方向全体に水を均一に浸み込ませることができる。ノズル１０は円筒形菌床４長手方向全体に水が届くに十分な長さがあり、注水開閉ノブ１２を具備したニップル１３と一体になっており、ニップル１３はホース１４につながれている。
【発明の効果】
【００１３】菌床を円筒形にして、円筒長手方向に間隔をおき植菌することにより各植菌箇所からの培養熟成してゆく範囲を均一化し、菌が回る時間を短くでき、乾燥を防ぐための注水作業も一度に大量の菌床に均一に注水することができる形をしていて、それでいて菌床の固まりひとつの大きさは種菌を１箇所に植菌した大きさの菌床の３〜５倍の大きさに大きくでき、菌床製作、菌床移動運搬、培養熟成、栽培の作業効率のよい生産活動ができる。
ガラスやプラスチックの固形容器は必要なく簡易な袋で菌床を包み、熟成後、袋は簡単に破棄でき、コスト的にも作業管理的にも簡便である。
菌床の運搬時、培養熟成時も雑菌が入り難く、熟成が十分で茸菌の雑菌に対する抵抗力が付いた後は円筒形菌床表面の広い面積に茸を発生させることができる栽培法で、すこぶる生産効率をアップすることができる。
【図面の簡単な説明】
【００１４】
【図１】本願請求項１の発明の菌床になる前の素材の外観を示す図である。
【図２】本願請求項１の発明の菌床の外観を示す図である。
【図３】本願請求項２の発明の菌床培養熟成法の菌床の運搬時、および培養熟成時の菌床の積まれた状態で途中の段を省略した図である。
【図４】本願請求項３の発明の菌床の培養熟成時、横木の棚に菌床が並べられた状態を示す図である。
【図５】本願請求項４の発明の菌床へ給水する方法を示す図である。
【符号の説明】１．  樹木の粉砕片と添加物と水の配合素材
２．  袋
３．  紐
４．  菌床
５．  穴
６．  種菌
７．  菌床台木
８．  横木
９．  棚柱組立
１０．ノズル
１１．小径穴
１２．注水開閉ノブ
１３．ニップル
１４．ホース
【図１】
2012254066.tif 000003
【図２】
2012254066.tif 000004
【図３】
2012254066.tif 000005
【図４】
2012254066.tif 000006
【図５】
2012254066.tif 000007